(57)【要約】      （修正有）【課題】灯支持部及び灯本体部が折畳み可能で且つタッチスイッチを備える折畳み式ＬＥＤ電気スタンドを提供する。【解決手段】折畳み式ＬＥＤ電気スタンド１００は、台座１０と、前記台座に回転可能な状態で連結される灯支持部２０と、前記灯支持部に対して回転可能な状態で連結され、且つ該灯支持部と並列して設置される灯本体部３０と、前記灯本体部内に固定されるＬＥＤ発光素子と、前記灯本体部の下面に固定されるシェードと、前記台座の上面に設けられるタッチスイッチ４０と、を備える。【選択図】図１
0003182114.tif 000002
【実用新案登録請求の範囲】
【請求項１】
台座と、前記台座に回転可能な状態で連結される灯支持部と、前記灯支持部に対して回転可能な状態で連結され、且つ該灯支持部と並列して設置される灯本体部と、前記灯本体部内に固定されるＬＥＤ発光素子と、前記灯本体部の下面に固定されるシェードと、前記台座の上面に設けられるタッチスイッチと、を備えることを特徴とする折畳み式ＬＥＤ電気スタンド。
【請求項２】
前記台座、前記灯支持部及び前記灯本体部は、何れも平たく且つ細長い形状を呈することを特徴とする請求項１に記載の折畳み式ＬＥＤ電気スタンド。
【請求項３】
前記台座に枢着部品を設け、前記灯支持部の両端に第一連接部及び第二連接部をそれぞれ設け、前記灯本体部の両端に第三連接部及び把持部をそれぞれ設け、第一回転軸を介して、前記灯支持部の第一連接部を前記台座の枢着部品に回転可能な状態で連結させ、第二回転軸を介して、前記灯支持部の第二連接部を前記灯本体部の第三連接部に回転可能な状態で連結させる構成とすることを特徴とする請求項１又は２に記載の折畳み式ＬＥＤ電気スタンド。
【請求項４】
前記把持部の内周面に固定される夜光素子をさらに備え、前記夜光素子は、夜に使用することを目的とするＬＥＤ発光素子又は自発光材料であることを特徴とする請求項３に記載の折畳み式ＬＥＤ電気スタンド。
【請求項５】
前記台座内に固定される第一プリント配線基板と、前記灯本体部内に固定される第二プリント配線基板と、前記第一プリント配線基板及び前記第二プリント配線基板を接続するデータラインと、をさらに備え、前記タッチスイッチを前記第一プリント配線基板に電気的に接続させ、前記ＬＥＤ発光素子を前記第二プリント配線基板に電気的に接続させる構成とすることを特徴とする請求項１から４の何れか一項に記載の折畳み式ＬＥＤ電気スタンド。
【考案の詳細な説明】
【技術分野】
【０００１】
本考案は、折畳み式ＬＥＤ電気スタンドに関し、特に灯支持部及び灯本体部を回転して折畳むことができるような折畳み式ＬＥＤ電気スタンドに関するものである。
【背景技術】
【０００２】
ＬＥＤ（Ｌｉｇｈｔ  Ｅｍｉｔｔｉｎｇ  Ｄｉｏｄｅ）発光素子は、発光効率が高く、体積が小さい等の利点を有するため、電気スタンド等の照明灯具に幅広く用いられている。既存のＬＥＤ電気スタンドは、通常、台座、シェード、台座とシェードとを連接する支柱及びダイヤルスイッチを備える。前記支柱を、一定の範囲内で湾曲或いは移動して、変形させることにより、ＬＥＤ発光素子の照明角度を調節して、光線の出射方向を変えることができる。また、ユーザーは、ダイヤルスイッチを回転することにより、前記ＬＥＤ電気スタンドの明るさ及びＯＮ／ＯＦＦを制御することができる。
【０００３】
しかし、従来の電気スタンドのシェードが大きいため、設置した場合に大きな空間を占めてしまう。また、前記ダイヤルスイッチを操作する場合に、２つ以上の指でスイッチを回転しなければならないので、操作が不便である。
【考案の概要】
【考案が解決しようとする課題】
【０００４】
本考案は、従来の問題点に鑑みてなされたものであり、灯支持部及び灯本体部が折畳み可能で、且つタッチスイッチを備える折畳み式ＬＥＤ電気スタンドを提供することを目的とする。
【課題を解決するための手段】
【０００５】
上記の目的を達成するために、本考案に係る折畳み式ＬＥＤ電気スタンドは、台座と、前記台座に回転可能な状態で連結される灯支持部と、前記灯支持部に対して回転可能な状態で連結され、且つ該灯支持部と並列して設置される灯本体部と、前記灯本体部内に固定されるＬＥＤ発光素子と、前記灯本体部の下面に固定されるシェードと、前記台座の上面に設けられるタッチスイッチと、を備える。
【考案の効果】
【０００６】
本考案は、上下に平行する２つの回転軸を介してＬＥＤ電気スタンドの灯支持部の両端を台座及び灯本体部にそれぞれ回転可能な状態で連結させて、ＬＥＤ電気スタンドを折り畳んで収納する或いは携帯するようになっており、従来の技術と比較すると空間或いはスペースを節約することができる。また、本考案においては、この折畳み可能なＬＥＤ電気スタンドの台座の上面にタッチスイッチが設けられている。ユーザーは、該タッチスイッチを操作することにより、前記折畳み可能なＬＥＤ電気スタンドの電源のオン／オフを容易に制御したり、ＬＥＤ発光素子の明るさ及び色温度を容易に調節したりすることができる。
【図面の簡単な説明】
【０００７】
【図１】本考案の実施形態に係る折畳み式ＬＥＤ電気スタンドの斜視図である。
【図２】図１に示した折畳み式ＬＥＤ電気スタンドの分解図である。
【図３】図２に示した折畳み式ＬＥＤ電気スタンドを別の視点から見た分解図である。
【図４】図１に示した折畳み式ＬＥＤ電気スタンドのＩＶ−ＩＶ線に沿った断面図である。
【図５】図１に示した折畳み式ＬＥＤ電気スタンドの使用状態を示す斜視図である。
【図６】図１に示した折畳み式ＬＥＤ電気スタンドの折畳まれた状態を示す斜視図である。
【考案を実施するための形態】
【０００８】
図１に示すように、本考案の実施形態に係る折畳み式ＬＥＤ電気スタンド１００は、枢着部品１１が設けられた台座１０と、灯支持部２０と、灯支持部２０と並列して設置される灯本体部３０と、タッチスイッチ４０と、を備える。灯支持部２０の両端には、台座１０と灯本体部３０とにそれぞれ回転可能な状態で連接される第一連接部２１及び第二連接部２２を有する。灯本体部３０の灯支持部２０と連接する一端には、第三連接部３１が設けられ、灯本体部３０の他端には、把持部３２が設けられている。本実施形態において、把持部３２は円環状であり、ユーザーは該把持部３２を握ることができる。タッチスイッチ４０は、円形の容量式タッチスイッチである。ユーザーは、該タッチスイッチ４０を操作することにより、電源のオン／オフを制御し、ＬＥＤ発光素子の明るさ及び色温度を調節する。台座１０、灯支持部２０及び灯本体部３０は、それぞれ平たくて長尺な形状を呈する。
【０００９】
図２を併せて参照すると、折畳み式ＬＥＤ電気スタンド１００は、第一回転軸５０と、第二回転軸６０と、台座１０内に固定される第一プリント配線基板７０と、をさらに備える。第一回転軸５０及び第二回転軸６０は、互いに対して平行である。第一回転軸５０の一端を枢着部品１１内に固定し、第一回転軸５０の他端を第一連接部２１内に回転可能に装着することにより、灯支持部２０を台座１０に回転可能な状態で連結させる。また、第二回転軸６０の一端を第三連接部３１内に固定し、第二回転軸６０の他端を第二連接部２２内に回転可能に装着することにより、灯本体部３０を灯支持部２０に回転可能な状態で連結させる。
【００１０】
前記台座１０は、円形貫通孔１２０を有する上部ケース１２及び該上部ケース１２と互いに係合する下部ケース１３を備える。第一プリント配線基板７０は、下部ケース１３に固定され、且つタッチスイッチ４０に電気的に接続される。本実施形態において、両面テープ（図示せず）を介して、タッチスイッチ４０を第一プリント配線基板７０に接着固定する。タッチスイッチ４０を円形貫通孔１２０内に収納した後、タッチスイッチ４０の上面は台座１０の上面と同一水平面に位置する。勿論、ユーザーが便利に操作するため、タッチスイッチ４０の上面を台座１０の上面より少し高くしてもよい。
【００１１】
図３及び図４を併せて参照すると、折畳み式ＬＥＤ電気スタンド１００は、灯本体部３０内に固定される第二プリント配線基板８０と、灯本体部３０の下面に固定されるシェード９０と、データライン７５と、をさらに備える。データライン７５は、第一プリント配線基板７０及び第二プリント配線基板８０にそれぞれ接続されて、電気信号を伝送することに用いられる。第二プリント配線基板８０には、平たくて細長い形状のＬＥＤ発光素子８１が装着されている。このＬＥＤ発光素子８１は、多くのＬＥＤ顆粒からなる。シェード９０は、両面テープによって灯本体部３０に貼着固定される。ＬＥＤ発光素子８１が発する光線は、シェード９０を透過して出射する。
【００１２】
図５及び図６を併せて参照すると、折畳み式ＬＥＤ電気スタンド１００は、把持部３２の内周面に固定される夜光素子（夜に使用することを目的としたＬＥＤ等の発光素子）３３と、第一プリント配線基板７０に接続される電源線７６と、電源線７６に接続されるプラグ７８と、をさらに備える。夜光素子３３は、第二プリント配線基板８０に電気的に接続されて、該第二プリント配線基板８０の制御下で発光して、より柔らかな光源を提供する。
【００１３】
また、他の実施形態において、夜光素子３３を自発光部材にすることができる。即ち、該夜光素子３３は、外部の電源に依存せずに、夜に発光できる材料（例えば、夜光塗料）を採用する。これにより、停電の場合又は暗い環境にいる時に、該夜光素子３３は自ら発光するので、前記折畳み式ＬＥＤ電気スタンド１００を便利に使用することができる。
【００１４】
図６、図１及び図５を順次に参照して、本考案の折畳み式ＬＥＤ電気スタンド１００を使用する場合、ユーザーは、灯支持部２０及び該灯支持部２０に連結された灯本体部３０を、第一回転軸５０の円周方向に沿って回転させて、それを図１に示す状態にさせた後、プラグ７８を電源ソケットに挿入して、把持部３２を握って、第二回転軸６０を中心として、灯本体部３０を図５に示す位置まで回転させてから、タッチスイッチ４０を押すことにより、該折畳み式ＬＥＤ電気スタンド１００の電源をオン／オフし、明るさ及び色温度を調節すればよい。
【００１５】
ユーザーがタッチスイッチ４０を操作する時に、該タッチスイッチ４０はユーザーの操作信号を第一プリント配線基板７０に伝送し、該第一プリント配線基板７０はデータライン７５を介して該操作信号を第二プリント配線基板８０に伝送し、第二プリント配線基板８０はこの操作信号に基づいてＬＥＤ発光素子８１及び夜光素子３３の作動を制御する。
【００１６】
また、本考案の折畳み式ＬＥＤ電気スタンド１００を収める場合、図５に示す状態で、把持部３２を握って、灯本体部３０を第二回転軸６０を中心として図１に示す状態まで回転させた後、灯本体部３０及び灯支持部２０を共に、第一回転軸５０を中心として図６に示す状態まで回転させればよい。この際、電源を切った後、該折畳み式ＬＥＤ電気スタンド１００を便利に携帯することができる。
【００１７】
上記の実施形態によれば、本考案は、ＬＥＤ電気スタンドの台座、灯支持部及び灯本体部を何れも平たくて細長い形状のものに設計して、且つ上下に平行する２つの回転軸を介して灯支持部の両端を台座及び灯本体部にそれぞれ回転可能な状態で連結させる。これにより、本考案のＬＥＤ電気スタンドを折り畳んで収納する或いは携帯することができ、空間或いはスペースを節約することができる。また、本考案は、この折畳み可能なＬＥＤ電気スタンドの台座の上面にタッチスイッチ４０を設ける。ユーザーは、該タッチスイッチ４０に対して操作することにより、前記折畳み可能なＬＥＤ電気スタンドの電源のオン／オフを容易に制御したり、ＬＥＤ発光素子の明るさ及び色温度を容易に調節したりすることができる。
【００１８】
以上、本考案の好適な実施形態について詳細に説明したが、本考案は前記実施形態に限定されるものではなく、本考案の範囲内で種々の変形又は改良が可能であり、該変形又は改良も、本考案の特許請求の範囲内に含まれることであるのは、いうまでもない。
【符号の説明】
【００１９】
１０    台座
１１    枢着部品
１２    上部ケース
１３    下部ケース
２０    灯支持部
２１    第一連接部
２２    第二連接部
３０    灯本体部
３１    第三連接部
３２    把持部
３３    夜光素子
４０    タッチスイッチ
５０    第一回転軸
６０    第二回転軸
７０    第一プリント配線基板
７５    データライン
７６    電源線
７８    プラグ
８０    第二プリント配線基板
８１    ＬＥＤ発光素子
９０    シェード
１００  折畳み式ＬＥＤ電気スタンド
１２０  円形貫通孔
【図１】
0003182114.tif 000003
【図２】
0003182114.tif 000004
【図３】
0003182114.tif 000005
【図４】
0003182114.tif 000006
【図５】
0003182114.tif 000007
【図６】
0003182114.tif 000008